【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
軸方向一方側端部が閉塞された有底筒状のハウジングを有するモータ部と、
前記ハウジングの開口部に組付けられた制御ユニットと、
を備え、
前記制御ユニットは、
一対のヒートシンク側位置決め孔を有し、前記ハウジングの開口部を閉塞するヒートシンクと、
前記モータ部の軸方向を板厚方向とし且つ前記ヒートシンクに対して前記モータ部側に配置され、一対の基板側位置決め孔を有すると共に、前記ヒートシンクに固定された基板と、
前記ヒートシンクの一部を外部に露出させた状態で前記ヒートシンクにおける前記モータ部とは反対側に配置され、前記ヒートシンクに固定されたコネクタアッシーと、
前記基板における前記モータ部側の一側面に接地され、前記ヒートシンク側位置決め孔及び前記基板側位置決め孔に嵌入された一対の位置決めピンを有するホルダと、
前記基板の一側面に設けられ、前記ホルダによって保持されると共に、前記モータ部のバスバーと圧入固定される圧入部を有する接続端子と、
を備えた回転電機。
【請求項２】
軸方向一方側端部が閉塞された有底筒状のハウジングを有するモータ部と、
前記ハウジングの開口部に組付けられた制御ユニットと、
を備え、
前記制御ユニットは、
前記ハウジングの開口部を閉塞するヒートシンクと、
前記モータ部の軸方向を板厚方向とし且つ前記ヒートシンクに対して前記モータ部側に配置され、前記ヒートシンクに固定された基板と、
前記ヒートシンクの一部を外部に露出させた状態で前記ヒートシンクにおける前記モータ部とは反対側に配置され、前記ヒートシンクに固定されたコネクタアッシーと、
前記基板における前記モータ部側の一側面に設けられ、前記モータ部のバスバーと圧入固定される圧入部を有する接続端子と、
を備え、
前記基板における前記ヒートシンク側の他側面には、発熱素子が設けられており、前記モータ部の軸方向から見て、前記発熱素子と前記コネクタアッシーとがラップしていないことを特徴とする回転電機。
【請求項３】
軸方向一方側端部が閉塞された有底筒状のハウジングを有するモータ部と、
前記ハウジングの開口部に組付けられた制御ユニットと、
を備え、
前記制御ユニットは、
前記ハウジングの開口部を閉塞するヒートシンクと、
前記モータ部の軸方向を板厚方向とし且つ前記ヒートシンクに対して前記モータ部側に配置され、前記ヒートシンクに固定された基板と、
前記ヒートシンクの一部を外部に露出させた状態で前記ヒートシンクにおける前記モータ部とは反対側に配置され、前記ヒートシンクに固定されたコネクタアッシーと、
前記基板における前記モータ部側の一側面に設けられ、前記モータ部のバスバーと圧入固定される圧入部を有する接続端子と、
を備え、
前記基板は、電源系の電子部品が設けられた第１エリアと、制御系の電子部品が設けられた第２エリアと、に区分けされ、
前記コネクタアッシーのターミナルが、前記第２エリアにおいて、前記基板に接続されており、
前記ヒートシンクには、前記ターミナルが挿通された挿通部が形成されていることを特徴とする回転電機。
【請求項４】
前記ホルダには、前記バスバーを前記圧入部へガイドするガイド部が形成されていることを特徴とする請求項１に記載の回転電機。
【請求項５】
前記コネクタアッシーは、
前記ヒートシンクに固定されたモールド部と、
前記モールド部に一体に形成された前記ターミナルと、
を含んで構成されていることを特徴とする請求項３に記載の回転電機。
【請求項６】
前記モールド部は、
前記モータ部の軸方向を厚み方向とした板状に形成されたモールド本体部と、
前記ハウジングの径方向外側に配置され、前記モールド本体部から前記モータ部の軸方向一方側へ延出されたコネクタ部と、
を含んで構成されていることを特徴とする請求項５に記載の回転電機。
【請求項７】
前記ヒートシンクには、前記モータ部の軸方向他方側へ突出されたフィンが形成されており、
前記フィンの突出高さが、前記モールド本体部の厚み以下に設定されていることを特徴とする請求項６に記載の回転電機。
【請求項８】
前記モールド部には、複数の前記コネクタ部が形成されており、
前記モールド本体部における前記ヒートシンクへの固定部が、前記コネクタ部の間に配置されていることを特徴とする請求項６又は請求項７に記載の回転電機。
【請求項９】
前記モールド本体部における前記ヒートシンクへの固定部が、金属製のカラーによって構成されており、前記カラーが締結部材によって前記ヒートシンクに締結固定されていることを特徴とする請求項６〜請求項８の何れか１項に記載の回転電機。
【請求項１０】
接続端子を保持したホルダをモータ部側の一側面に接地した状態の基板を、ヒートシンクに対してモータ部側に配置し且つ前記ヒートシンクに固定する第１工程と、
前記ヒートシンクに対して前記モータ部とは反対側にコネクタアッシーを配置し、前記ヒートシンクの一部を外部に露出させた状態で前記コネクタアッシーを前記ヒートシンクに固定する第２工程と、
前記モータ部のバスバーを前記接続端子の圧入部に圧入固定させると共に、前記ヒートシンクによって前記モータのハウジングの開口部を閉塞する第３工程と、
前記ヒートシンクを前記ハウジングに固定する第４工程と、
を備え、
前記第１工程では、前記基板における一対の基板側位置決め孔に嵌入された前記ホルダの一対の位置決めピンを、前記ヒートシンクに形成された一対のヒートシンク側位置決め孔に嵌入させる回転電機の製造方法。
【手続補正２】
【補正対象書類名】明細書
【補正対象項目名】０００７
【補正方法】変更
【補正の内容】
【０００７】
本発明の１またはそれ以上の実施形態は、軸方向一方側端部が閉塞された有底筒状のハウジングを有するモータ部と、前記ハウジングの開口部に組付けられた制御ユニットと、を備え、前記制御ユニットは、一対のヒートシンク側位置決め孔を有し、前記ハウジングの開口部を閉塞するヒートシンクと、前記モータ部の軸方向を板厚方向とし且つ前記ヒートシンクに対して前記モータ部側に配置され、一対の基板側位置決め孔を有すると共に、前記ヒートシンクに固定された基板と、前記ヒートシンクの一部を外部に露出させた状態で前記ヒートシンクにおける前記モータ部とは反対側に配置され、前記ヒートシンクに固定されたコネクタアッシーと、前記基板における前記モータ部側の一側面に接地され、前記ヒートシンク側位置決め孔及び前記基板側位置決め孔に嵌入された一対の位置決めピンを有するホルダと、前記基板の一側面に設けられ、前記ホルダによって保持されると共に、前記モータ部のバスバーと圧入固定される圧入部を有する接続端子と、を備えた回転電機である。
【手続補正３】
【補正対象書類名】明細書
【補正対象項目名】０００８
【補正方法】変更
【補正の内容】
【０００８】
本発明の１またはそれ以上の実施形態は、軸方向一方側端部が閉塞された有底筒状のハウジングを有するモータ部と、前記ハウジングの開口部に組付けられた制御ユニットと、を備え、前記制御ユニットは、前記ハウジングの開口部を閉塞するヒートシンクと、前記モータ部の軸方向を板厚方向とし且つ前記ヒートシンクに対して前記モータ部側に配置され、前記ヒートシンクに固定された基板と、前記ヒートシンクの一部を外部に露出させた状態で前記ヒートシンクにおける前記モータ部とは反対側に配置され、前記ヒートシンクに固定されたコネクタアッシーと、前記基板における前記モータ部側の一側面に設けられ、前記モータ部のバスバーと圧入固定される圧入部を有する接続端子と、を備え、前記基板における前記ヒートシンク側の他側面には、発熱素子が設けられており、前記モータ部の軸方向から見て、前記発熱素子と前記コネクタアッシーとがラップしていないことを特徴とする回転電機である。
【手続補正４】
【補正対象書類名】明細書
【補正対象項目名】０００９
【補正方法】変更
【補正の内容】
【０００９】
本発明の１またはそれ以上の実施形態は、軸方向一方側端部が閉塞された有底筒状のハウジングを有するモータ部と、前記ハウジングの開口部に組付けられた制御ユニットと、を備え、前記制御ユニットは、前記ハウジングの開口部を閉塞するヒートシンクと、前記モータ部の軸方向を板厚方向とし且つ前記ヒートシンクに対して前記モータ部側に配置され、前記ヒートシンクに固定された基板と、前記ヒートシンクの一部を外部に露出させた状態で前記ヒートシンクにおける前記モータ部とは反対側に配置され、前記ヒートシンクに固定されたコネクタアッシーと、前記基板における前記モータ部側の一側面に設けられ、前記モータ部のバスバーと圧入固定される圧入部を有する接続端子と、を備え、前記基板は、電源系の電子部品が設けられた第１エリアと、制御系の電子部品が設けられた第２エリアと、に区分けされ、前記コネクタアッシーのターミナルが、前記第２エリアにおいて、前記基板に接続されており、前記ヒートシンクには、前記ターミナルが挿通された挿通部が形成されていることを特徴とする回転電機である。
【手続補正５】
【補正対象書類名】明細書
【補正対象項目名】００１０
【補正方法】変更
【補正の内容】
【００１０】
本発明の１またはそれ以上の実施形態は、前記ホルダには、前記バスバーを前記圧入部へガイドするガイド部が形成されていることを特徴とする回転電機である。
【手続補正６】
【補正対象書類名】明細書
【補正対象項目名】００１１
【補正方法】削除
【補正の内容】
【手続補正７】
【補正対象書類名】明細書
【補正対象項目名】００１７
【補正方法】変更
【補正の内容】
【００１７】
本発明の１またはそれ以上の実施形態は、接続端子を保持したホルダをモータ部側の一側面に接地した状態の基板を、ヒートシンクに対してモータ部側に配置し且つ前記ヒートシンクに固定する第１工程と、前記ヒートシンクに対して前記モータ部とは反対側にコネクタアッシーを配置し、前記ヒートシンクの一部を外部に露出させた状態で前記コネクタアッシーを前記ヒートシンクに固定する第２工程と、前記モータ部のバスバーを前記接続端子の圧入部に圧入固定させると共に、前記ヒートシンクによって前記モータのハウジングの開口部を閉塞する第３工程と、前記ヒートシンクを前記ハウジングに固定する第４工程と、を備え、前記第１工程では、前記基板における一対の基板側位置決め孔に嵌入された前記ホルダの一対の位置決めピンを、前記ヒートシンクに形成された一対のヒートシンク側位置決め孔に嵌入させる回転電機の製造方法である。